(57)【要約】【課題】  透明な筒状部の内面に透明な導電体層が形成され、導電体層の内面に蛍光体層が形成された蛍光管内に、蛍光管の長手方向に延びる直線状の電子放出電極を備え、この電子放出電極から導電体層へ向けて電子を放出することにより蛍光体を励起させて発光させる蛍光ランプにおいて、導電性接着剤を用いずに電極端子と導電体層とを導通させることを可能にする。【解決手段】  ガラス管１０ａの内面に透明な導電体層１０ｂが形成され、この導電体層１０ｂの内面に蛍光体層１０ｃが形成された蛍光管１０内に、蛍光管１０の長手方向に延びる直線状の電子放出電極１４を備えた蛍光ランプ１において、蛍光管１０内に、導電体層１０ｂに自身の弾性により圧接する圧接部を有する導電部材２０を配置し、この導電部材２０を陽極に接続するようにする。【選択図】          図１
2008059897.tif 000002
【特許請求の範囲】
【請求項１】
透明な筒状部の内面に透明な導電体層が形成され、該導電体層の内面に蛍光体層が形成された蛍光管と、
該蛍光管の内部に配置され、該蛍光管の長手方向に延びる直線状の電子放出電極とを備え、
前記導電体層が陽極に接続され、前記電子放出電極が陰極に接続される蛍光ランプにおいて、
前記蛍光管内に、前記導電体層に自身の弾性により圧接する圧接部を有する導電部材が配置され、
該導電部材が前記陽極に接続されるものであることを特徴とする蛍光ランプ。
【請求項２】
前記導電部材が、環状部材からなり、
該環状部材には、その一部を外側に折り曲げた折曲部が形成されており、
前記環状部材の中心から前記折曲部の先端までの長さが、前記蛍光管の内半径よりも長くなるように構成されており、
前記折曲部が、自身の弾性により前記導電体層に圧接するものであることを特徴とする請求項１記載の蛍光ランプ。
【請求項３】
前記導電部材が、巻バネ部を備え、
該巻バネ部の外周部が弾性により前記導電体層に圧接するものであることを特徴とする請求項１記載の蛍光ランプ。
【発明の詳細な説明】
【技術分野】
【０００１】
本発明は、透明な筒状部の内面に透明な導電体層が形成され、導電体層の内面に蛍光体層が形成された蛍光管内に、蛍光管の長手方向に延びる直線状の電子放出電極を備え、この電子放出電極から導電体層へ向けて電子を放出することにより蛍光体を励起させて発光させる蛍光ランプにおいて、特に導電体層と電極端子との接続に関するものである。
【背景技術】
【０００２】
これまでの蛍光ランプは、蛍光管内に封入した水銀蒸気から紫外線を発生させ、この紫外線により蛍光体を励起させて発光させていたが、水銀を用いない新たな蛍光ランプとして、蛍光体を電子により直接励起させて発光させるタイプのものが提案されている。（例えば特許文献１参照）
このような電子励起型の蛍光ランプをより簡素な構成で実現しようとする場合、透明な筒状部の内面に透明な導電体層が形成され、この導電体層の内面に蛍光体層が形成された蛍光管内に、蛍光管の長手方向に延びる直線状の電子放出電極を蛍光管の中心軸に略沿って配置し、蛍光管の導電体層と電子放出電極との間に電圧を印加することにより、電子放出電極から導電体層へ向けて電子を放出させて蛍光体を励起させ、これにより発光させる蛍光ランプが考えられる。
【０００３】
この新しい方式の蛍光ランプの構造の一例としては、筒状の蛍光管の両端がステムにより封止され、一方のステムは電源の陰極に接続させるための電極端子と、これに接続された電子放出電極とを備え、他方のステムは電源の陽極に接続させるための電極端子と、この電極端子を蛍光管内の導電体層へ接続させるためのリード線とを備えた構造をしている。
【特許文献１】特開２００２−４２７３５号公報
【発明の開示】
【発明が解決しようとする課題】
【０００４】
上記の蛍光ランプを製造する場合、筒状の蛍光管の両端外側からそれぞれステムを挿入して封止する。この場合、電極端子を蛍光管内の導電体層へ接続させるためのリード線を備えたステムについては、導電性接着剤によりリード線の先端を導電体層に接着した後、ステムを蛍光管内に挿入して封止していたが、このような導電性接着剤を用いると、蛍光管内に有機材（不純物）が発生して蛍光ランプの特性が劣化したり、また接着部が振動や衝撃に弱いために蛍光ランプの耐久性が落ちる等の問題があった。
【０００５】
本発明は上記問題に鑑みてなされたものであり、透明な筒状部の内面に透明な導電体層が形成され、導電体層の内面に蛍光体層が形成された蛍光管内に、蛍光管の長手方向に延びる直線状の電子放出電極を備え、この電子放出電極から導電体層へ向けて電子を放出することにより蛍光体を励起させて発光させる蛍光ランプにおいて、導電性接着剤を用いずに電極端子と導電体層とを導通させることを可能にした蛍光ランプを提供することを目的とするものである。
【課題を解決するための手段】
【０００６】
本発明による蛍光ランプは、透明な筒状部の内面に透明な導電体層が形成され、導電体層の内面に蛍光体層が形成された蛍光管と、蛍光管の内部に配置され、蛍光管の長手方向に延びる直線状の電子放出電極とを備え、導電体層が陽極に接続され、電子放出電極が陰極に接続される蛍光ランプにおいて、蛍光管内に、導電体層に自身の弾性により圧接する圧接部を有する導電部材が配置され、導電部材が陽極に接続されるものであることを特徴とするものである。
【０００７】
導電部材は、環状部材からなり、環状部材には、その一部を外側に折り曲げた折曲部が形成されており、環状部材の中心から折曲部の先端までの長さが、蛍光管の内半径よりも長くなるように構成されており、折曲部が、自身の弾性により導電体層に圧接するものとしてもよい。なお、ここで環状部材とは、完全な環状のものに限らず一部切欠きがある略Ｃ字状のものも含む。
【０００８】
また、導電部材は、巻バネ部を備え、巻バネ部の外周部が弾性により導電体層に圧接するものとしてもよい。
【発明の効果】
【０００９】
本発明による蛍光ランプによれば、透明な筒状部の内面に透明な導電体層が形成され、導電体層の内面に蛍光体層が形成された蛍光管と、蛍光管の内部に配置され、蛍光管の長手方向に延びる直線状の電子放出電極とを備え、導電体層が陽極に接続され、電子放出電極が陰極に接続される蛍光ランプにおいて、蛍光管内に、導電体層に自身の弾性により圧接する圧接部を有する導電部材を配置し、この導電部材を陽極に接続するようにすることにより、導電性接着剤を用いずとも安定的に電極端子と導電体層とを導通させることが可能となるため、蛍光ランプの品質を向上させることができる。
【発明を実施するための最良の形態】
【００１０】
以下、本発明の具体的な実施の形態について図面を用いて説明する。図１は本発明の第１の実施の形態による蛍光ランプの断面図、図２はこの蛍光ランプの導電部材の図１中Ａ矢指方向から見た上面図である。
【００１１】
この蛍光ランプ１は、ガラス管１０ａの内面に透明な導電体層１０ｂが形成され、この導電体層１０ｂの内面に蛍光体層１０ｃが形成された蛍光管１０と、蛍光管１０の両端を封止するステム１１および１３と、蛍光管１０の中心軸に略沿って配置され、蛍光管１０の長手方向に延びる直線状の電子放出電極１４とからなり、導電体層１０ｂは後述の導電部材２０を介してステム１１に保持されたリード線１２に接続され、不図示の電源の陽極に接続され、電子放出電極１４はステム１３に保持されたリード線１５に接続され、不図示の電源の陰極に接続されるように構成されている。
【００１２】
この蛍光ランプ１は、蛍光管１０の導電体層１０ｂと電子放出電極１４との間に電圧を印加することにより、電子放出電極１４から導電体層１０ｂへ向けて電子が放出され、これにより蛍光体層１０ｃが励起し発光するものである。
【００１３】
電子放出電極１４としては、ニッケル等の金属線の表面にカーボンナノウォールを製膜したものを用いることができる。
【００１４】
この電子放出電極１４は、基端部にリード線１５が巻きつけられるとともに溶着される形でステム１３に固着保持されている。（図１中ではリード線１５は非断面表示としている。）
本実施の形態による蛍光ランプ１においては、リード線１２と接続された導電部材２０が蛍光管１０内に挿入されており、この導電部材２０が導電体層１０ｂと圧接することにより、導電部材１０ｂが陽極に接続されるように構成されている。
【００１５】
図２に示すように、導電部材２０は具体的には、ニッケルもしくはステンレス等の金属製の環状部材２０ａからなり、環状部材２０ａには、その一部を外側に折り曲げた折曲部２０ｂが形成されており、環状部材２０ａの中心から折曲部２０ｂの先端までの長さが、蛍光管１０の内半径よりも長くなるように構成されており、導電部材２０が蛍光管１０内に挿入された際に、折曲部２０ｂが自身の弾性により導電体層１０ｂに圧接するものである。
【００１６】
このような構成とすることにより、導電性接着剤を用いずとも安定的に電極端子と導電体層１０ｂとを導通させることが可能となるため、蛍光ランプ１の品質を向上させることができる。
【００１７】
次に、本発明の第２の実施の形態について説明する。本実施の形態の蛍光ランプは、図１に示した蛍光ランプと比べて導電部材のみが異なるものであり、その他は同様に構成されている。図３は本実施の形態による蛍光ランプの断面図、図４はこの蛍光ランプの導電部材の図中Ａ矢指方向から見た上面図である。なお、各図において、図１中のものと同等の要素については同番号を付し、それらについての説明は特に必要の無い限り省略する。
【００１８】
図３および図４に示す導電部材２１は金属製の巻バネにより構成されており、導電部材（巻バネ）２１が蛍光管１０内に挿入された際に、導電部材（巻バネ）２１が自身の弾性により導電体層１０ｂに圧接するものである。このような態様としても上記と同様の効果を得ることができる。
【００１９】
以上、本発明の好ましい実施の形態について説明したが、本発明は上記に限定されるものではなく、自身の弾性により導電体層に圧接する圧接部を有する導電部材を介して導電体層と陽極とが接続されるものであればどのような態様としてもよい。
【図面の簡単な説明】
【００２０】
【図１】本発明の第１の実施の形態による蛍光ランプの断面図
【図２】上記蛍光ランプの導電部材の図１中Ａ矢指方向から見た上面図
【図３】本発明の第２の実施の形態による蛍光ランプの断面図
【図４】上記蛍光ランプの導電部材の図３中Ａ矢指方向から見た上面図
【符号の説明】
【００２１】
１、２    蛍光ランプ
１０    蛍光管
１０ａ    ガラス管
１０ｂ    導電体層
１０ｃ    蛍光体
１１    ステム
１２    リード線
１３    ステム
１４    電子放出電極
１５    リード線
２０    導電部材
２１    導電部材
【図１】
2008059897.tif 000003
【図２】
2008059897.tif 000004
【図３】
2008059897.tif 000005
【図４】
2008059897.tif 000006